(57)【要約】【課題】従来に比して一段と前方の視認性を向上して、簡易かつ迅速にブラインド操作することができるようにする。【解決手段】前方車両の情報を取得する周辺情報取得部１３と、ドライバーの操作の情報を受け付ける操作情報取得部１４と、表示に供する画像を形成する表示部１１と、表示部１１を制御する表示制御部１６とを備え、表示制御部１６は、周辺情報取得部１３により取得した情報により、前方車両を囲むリング形状によりメニュー表示領域を設定し、このメニュー表示領域を放射状に分割して形成された小領域に車両の操作に係るメニューを表示する。【選択図】図４
2019202557.tif 000002
【特許請求の範囲】
【請求項１】
ドライバーの前方空間に、虚像により画像を表示する車両用表示装置において、
前方車両の情報を取得する周辺情報取得部と、
前記ドライバーの操作の情報を受け付ける操作情報取得部と、
表示に供する画像を形成する表示部と、
前記表示部を制御する表示制御部とを備え、
前記表示制御部は、
前記周辺情報取得部により取得した情報により、前記前方車両を囲むリング形状によりメニュー表示領域を設定し、
前記メニュー表示領域を放射状に分割して形成された小領域に車両の操作に係るメニューを表示する
車両用表示装置。
【請求項２】
前記操作情報取得部により取得される前記操作の情報が、
指のスライド操作をガイドする円形形状のガイド部と、押圧操作可能な押圧操作部とを備えた操作部による前記操作の情報である
請求項１に記載の車両用表示装置。
【請求項３】
前記表示制御部は、
前記メニュー表示領域の内側の円形形状の領域に前記前方車両の全景が収まるように、前記メニュー表示領域の内径を可変する
請求項１又は請求項２に記載の車両用表示装置。
【請求項４】
前記表示制御部は、
前記円形形状の領域の拡大により前記メニュー表示領域におけるメニューの表示を文字表示からアイコンによる表示に切替える
請求項３に記載の車両用表示装置。
【請求項５】
前記表示制御部は、
前記前方車両との間に、隣接車線からの車両が侵入する場合、前記隣接車線からの車両を囲む前記リング形状により新たなメニュー表示領域を形成し、
前記隣接車線からの車両の進入により、徐々に、前記メニュー表示領域の表示を前記新たなメニュー表示領域の表示に切替える
請求項１、請求項２、請求項３、請求項４の何れかに記載の車両用表示装置。
【請求項６】
前記表示制御部は、
走行中の車線から隣接車線に車線を変更する場合、前記隣接車線の前記前方車両を囲む前記リング形状により新たなメニュー表示領域を形成し、
前記隣接車線への車線変更により、徐々に、前記メニュー表示領域の表示を前記新たなメニュー表示領域の表示に切替える
請求項１、請求項２、請求項３、請求項４の何れかに記載の車両用表示装置。
【請求項７】
前記表示制御部は、
前記新たなメニュー表示領域の表示を前記メニュー表示領域側から徐々に視認できるようにしながら、前記メニュー表示領域の表示を前記新たなメニュー表示領域側から徐々に視認できないようにすることにより、
徐々に、前記メニュー表示領域の表示を前記新たなメニュー表示領域の表示に切替える
請求項５又は請求項６に記載の車両用表示装置。
【請求項８】
前記表示制御部は、
車線変更時及び又は進路変更時、注意すべき対象の検出により前記メニュー表示領域の表示を強調表示に切替える
請求項１、請求項２、請求項３、請求項４、請求項５、請求項６、請求項７の何れかに記載の車両用表示装置。
【請求項９】
ドライバーの前方空間に、虚像により画像を表示する車両用表示装置の制御方法において、
前方車両の情報を取得する周辺情報取得ステップと、
前記ドライバーの操作の情報を取得する操作情報取得ステップと、
表示に供する画像を形成する表示部を制御する表示制御ステップとを備え、
前記表示制御ステップは、
前記周辺情報取得ステップにより取得した情報により、前記前方車両を囲むリング形状によりメニュー表示領域を設定し、
前記メニュー表示領域を放射状に分割して形成された小領域に車両の操作に係るメニューを表示する
車両用表示装置の制御方法。
【請求項１０】
演算処理回路における実行により所定の処理手順を実行させる車両用表示装置の制御プログラムにおいて、
前記車両用表示装置が、
ドライバーの前方空間に、虚像により画像を表示する前記車両用表示装置であり、
前記処理手順が、
前方車両の情報を取得する周辺情報取得ステップと、
前記ドライバーの操作の情報を取得する操作情報取得ステップと、
表示に供する画像を形成する表示部を制御する表示制御ステップとを備え、
前記表示制御ステップは、
前記周辺情報取得ステップにより取得した情報により、前記前方車両を囲むリング形状によりメニュー表示領域を設定し、
前記メニュー表示領域を放射状に分割して形成された小領域に車両の操作に係るメニューを表示する
車両用表示装置の制御プログラム。
【発明の詳細な説明】
【技術分野】
【０００１】
本発明は、車両用表示装置、車両用表示装置の制御方法、車両用表示装置の制御プログラムに関するものである。
【背景技術】
【０００２】
従来、ヘッドアップディスプレイ装置による車両用表示装置に関して、ドライバーの前方空間に、虚像により種々の画像を表示する工夫が提案されている。このような車両用表示装置は、ウインドシールドを介して前方を視認したドライバーの視界に、種々の画像を表示することができる。
【０００３】
このような車両用表示装置に関して、特許文献１には、円形形状の領域を放射状に分割して各種操作のメニューを表示する構成が開示されている。この特許文献１に開示の構成によれば、安全性を損なうことなく、簡易かつ迅速にブラインド操作することができる。
【先行技術文献】
【特許文献】
【０００４】
【特許文献１】特開２０１５−９３５５０号公報
【発明の概要】
【発明が解決しようとする課題】
【０００５】
ところで特許文献１に開示の構成のように、簡易かつ迅速にブラインド操作できるようにして、一段と前方の視認性を向上することができれば、一段と安全性を向上できると考えられる。
【０００６】
本発明は以上の点を考慮してなされたものであり、従来に比して一段と前方の視認性を向上して、簡易かつ迅速にブラインド操作することができる車両用表示装置、車両用表示装置の制御方法、車両用表示装置の制御プログラムを提案すること目的とする。
【課題を解決するための手段】
【０００７】
係る課題を解決するため、請求項１の発明に係る車両用表示装置は、
ドライバーの前方空間に、虚像により画像を表示する車両用表示装置において、
前方車両の情報を取得する周辺情報取得部と、
前記ドライバーの操作の情報を受け付ける操作情報取得部と、
表示に供する画像を形成する表示部と、
前記表示部を制御する表示制御部とを備え、
前記表示制御部は、
前記周辺情報取得部により取得した情報により、前記前方車両を囲むリング形状によりメニュー表示領域を設定し、
前記メニュー表示領域を放射状に分割して形成された小領域に車両の操作に係るメニューを表示する。
【０００８】
請求項１の構成によれば、前方車両を囲むリング形状によりメニュー表示領域を設定して各種のメニューを表示することにより、前方車両に関する視認性を充分に確保することができる。またこのようにリング形状によりメニュー表示領域を形成する場合には、ブラインド操作により、簡易かつ迅速に所望のメニューを選択することができる。
これにより従来に比して一段と前方の視認性を向上して、簡易かつ迅速にブラインド操作することができる。
【０００９】
また請求項２の発明においては、
請求項１の構成において、
前記操作情報取得部により取得される前記操作の情報が、
指のスライド操作をガイドする円形形状のガイド部と、押圧操作可能な押圧操作部とを備えた操作部による前記操作の情報である。
【００１０】
請求項２の構成によれば、
リング形状によるメニュー表示領域に対応する操作部の構成により、ブラインド操作により、簡易かつ迅速に所望のメニューを選択することができる。
【００１１】
請求項３の発明は、
請求項１又は請求項２の構成において、
前記表示制御部は、
前記メニュー表示領域の内側の円形形状の領域に前記前方車両の全景が収まるように、前記メニュー表示領域の内径を可変する。
【００１２】
請求項３の構成によれば、
前方車両までの距離が変化した場合であっても、この距離の変化に対応するように円形形状の領域の大きさを可変して、確実に前方車両に関する視認性を向上し、安全性を向上することができる。
【００１３】
請求項４の発明は、
請求項３の構成において、
前記表示制御部は、
前記円形形状の領域の拡大により前記メニュー表示領域におけるメニューの表示を文字表示からアイコンによる表示に切替える。
【００１４】
請求項４の構成によれば、前方車両との車間距離の低下等によりメニュー表示領域を著しく拡大させなくても、適切にメニューを表示することができ、前方車両以外の前方視界の低下を有効に回避して、操作性の低下を防止することができる。
【００１５】
請求項５の発明は、
請求項１、請求項２、請求項３、請求項４の何れかの構成において、
前記表示制御部は、
前記前方車両との間に、隣接車線からの車両が侵入する場合、前記隣接車線からの車両を囲む前記リング形状により新たなメニュー表示領域を形成し、
前記隣接車線からの車両の進入により、徐々に、前記メニュー表示領域の表示を前記新たなメニュー表示領域の表示に切替える。
【００１６】
請求項５の構成によれば、隣接車線からの車両の車線変更に関して、ドライバーに注意を喚起することができる。
【００１７】
請求項６の発明は、
請求項１、請求項２、請求項３、請求項４の何れかの構成において、
前記表示制御部は、
走行中の車線から隣接車線に車線を変更する場合、前記隣接車線の前記前方車両を囲む前記リング形状により新たなメニュー表示領域を形成し、
前記隣接車線への車線変更により、徐々に、前記メニュー表示領域の表示を前記新たなメニュー表示領域の表示に切替える。
【００１８】
請求項６の構成によれば、隣接車線への車線変更に関して、ドライバーに注意を喚起することができる。
【００１９】
請求項７の発明は、
請求項５又は請求項６の構成において、
前記表示制御部は、
前記新たなメニュー表示領域の表示を前記メニュー表示領域側から徐々に視認できるようにしながら、前記メニュー表示領域の表示を前記新たなメニュー表示領域側から徐々に視認できないようにすることにより、
徐々に、前記メニュー表示領域の表示を前記新たなメニュー表示領域の表示に切替える。
【００２０】
請求項７の構成によれば、メニュー表示領域の切替えを直観的に把握できることにより、使い勝手を向上することができる。
【００２１】
請求項８の発明は、
請求項１、請求項２、請求項３、請求項４、請求項５、請求項６、請求項７の何れかの構成において、
前記表示制御部は、
車線変更時及び又は進路変更時、注意すべき対象の検出により前記メニュー表示領域の表示を強調表示に切替える。
【００２２】
請求項８の構成によれば、歩行者、他の車両等への注意を喚起することができる。
【００２３】
請求項９の発明は、
ドライバーの前方空間に、虚像により画像を表示する車両用表示装置の制御方法において、
前方車両の情報を取得する周辺情報取得ステップと、
前記ドライバーの操作の情報を取得する操作情報取得ステップと、
表示に供する画像を形成する表示部を制御する表示制御ステップとを備え、
前記表示制御ステップは、
前記周辺情報取得ステップにより取得した情報により、前記前方車両を囲むリング形状によりメニュー表示領域を設定し、
前記メニュー表示領域を放射状に分割して形成された小領域に車両の操作に係るメニューを表示する。
【００２４】
請求項９の構成によれば、前方車両を囲むリング形状によりメニュー表示領域を設定して各種のメニューを表示することにより、前方車両に関する視認性を充分に確保することができる。またこのようにリング形状によりメニュー表示領域を形成する場合には、ブラインド操作により、簡易かつ迅速に所望のメニューを選択することができる。
これにより従来に比して一段と前方の視認性を向上して、簡易かつ迅速にブラインド操作することができる。
【００２５】
請求項１０の発明は、
演算処理回路における実行により所定の処理手順を実行させる車両用表示装置の制御プログラムにおいて、
前記車両用表示装置が、
ドライバーの前方空間に、虚像により画像を表示する前記車両用表示装置であり、
前記処理手順が、
前方車両の情報を取得する周辺情報取得ステップと、
前記ドライバーの操作の情報を取得する操作情報取得ステップと、
表示に供する画像を形成する表示部を制御する表示制御ステップとを備え、
前記表示制御ステップは、
前記周辺情報取得ステップにより取得した情報により、前記前方車両を囲むリング形状によりメニュー表示領域を設定し、
前記メニュー表示領域を放射状に分割して形成された小領域に車両の操作に係るメニューを表示する。
【００２６】
請求項１０の構成によれば、前方車両を囲むリング形状によりメニュー表示領域を設定して各種のメニューを表示することにより、前方車両に関する視認性を充分に確保することができる。またこのようにリング形状によりメニュー表示領域を形成する場合には、ブラインド操作により、簡易かつ迅速に所望のメニューを選択することができる。
これにより従来に比して一段と前方の視認性を向上して、簡易かつ迅速にブラインド操作することができる。
【発明の効果】
【００２７】
本発明の車両用表示装置、車両用表示装置の制御方法、車両用表示装置の制御プログラムによれば、従来に比して一段と前方の視認性を向上して、簡易かつ迅速にブラインド操作することができる。
【図面の簡単な説明】
【００２８】
【図１】本発明の実施形態に係る車両用表示装置の説明に供する断面図である。
【図２】図１の車両用表示装置のブロック図である。
【図３】図１の車両用表示装置における操作部を示す図である。
【図４】前方車両が存在する場合のメニュー表示を示す略線図である。
【図５】前方車両が存在しない場合のメニュー表示を示す略線図である。
【図６】走行車線を変更する場合のメニュー表示を示す略線図である。
【図７】隣接車線からの車両の進入時におけるメニュー表示を示す略線図である。
【図８】図１の車両用表示装置における動作の説明に供するフローチャートである。
【図９】走行車線を変更する場合の動作の説明に供するフローチャートである。
【図１０】隣接車線からの車両の進入時における動作の説明に供するフローチャートである。
【発明を実施するための形態】
【００２９】
〔第１実施形態〕
図１は、本発明の第１実施形態に係る車両１の構成を示す断面図であり、運転席より前方部分を部分的に示す図である。
この車両１は、ダッシュボード内に、ヘッドアップディスプレイ装置による車両用表示装置２を備える。車両１は、この車両用表示装置２から画像表示に供する出射光Ｌを出射し、この出射光Ｌをウインドシールド３でドライバー４に向けて反射する。車両用表示装置２は、このウインドシールド３の反射光によりドライバー４の前方空間に虚像５を形成し、これによりウインドシールド３を介して車両の前方を視認可能とした状態で、ドライバー４の前方空間に虚像５により種々の画像を表示する。
この車両１では、この車両用表示装置２による画像により各種のメニューを表示し、このメニューの選択操作による種々の操作を受け付ける。
【００３０】
図２は、車両用表示装置２を周辺構成と共に示す図である。
車両用表示装置２は、表示部１１、周辺情報取得部１３、操作情報取得部１４、通信インターフェース１５、表示制御部１６を備える。
車両用表示装置２は、車両用表示装置の制御プログラムを演算処理回路で実行することにより、この図２に示す機能ブロックが構成される。
これによりこの制御プログラムの実行による処理手順は、周辺情報取得部１３、操作情報取得部１４、表示制御部１６にそれぞれ対応して、対応する処理を実行する周辺情報取得ステップ、操作情報取得ステップ、表示制御ステップを備える。
【００３１】
表示部１１は、表示に供する画像を形成する構成である。表示部１１は、表示器１１Ａに設けられた画像表示パネルにより表示に供する画像を形成し、所定の光学系を介して、この画像表示パネルの出射光Ｌをウインドシールド３に出射する。
ここで画像表示パネルは、ＤＭＤ（Ｄｉｇｉｔａｌ  Ｍｉｒｒｏｒ  Ｄｅｖｉｃｅ）、液晶表示パネル、有機ＥＬ（Ｅｌｅｃｔｒｏ  Ｌｕｍｉｎｅｓｃｅｎｃｅ）パネル等、種々の構成を広く適用することができる。
この実施形態において、車両用表示装置２は、この光学系にミラーＭ１、Ｍ２が設けられ、このミラーＭ１、Ｍ２により出射光Ｌの光路を折り曲げ、これにより全体構成を小型化するように構成される。
【００３２】
周辺情報取得部１３は、この車両１に設けられた周辺監視部２１から周辺情報を取得する。
ここで周辺情報は、少なくとも走行中の車線の前方車両を把握可能な情報であり、さらには後述する各種の処理の実行に必要な情報を含む。具体的に、走行中の車線の前方車両までの距離を把握可能な情報、走行中の車線の前方車両の全景を把握可能な情報、隣接車線の車両を把握可能な情報、この隣接車線の車両の全景を把握可能な情報、注意すべき対象を把握可能な情報等を含む。
【００３３】
ここで車両用表示装置２では、前方の撮像結果を画像処理することにより、走行中の車線における前方車両の有無、この前方車両までの距離、この前方車両の全景を把握することができる。また同様の画像処理により、隣接車線の車両の有無、この隣接車線の車両までの距離、この隣接車線の車両の全景を把握することができる。またこの撮像結果の画像処理により、例えば歩行者、他の車両等の注意を要する対象を検出することができる。
【００３４】
これによりこの車両１では、周辺監視部２１により車両１の周辺情報を取得できるように構成され、前方を撮像する前方風景撮像部が、この周辺監視部２１に設けられる。
周辺情報取得部１３は、この前方風景撮像部による撮像結果を周辺情報として取得する。なおこれに代えて、車両１側で画像処理して、前方車両の有無、前方車両までの距離等の情報を検出するようにして、この検出した情報を周辺情報として周辺情報取得部１３で取得するようにしてもよい。
このようにすれば、車両１に設けられた自動運転モードに係る構成等を有効利用して、車両用表示装置２の構成を簡略化することができる。
【００３５】
操作情報取得部１４は、この車両１に設けられた操作部２２から、ドライバー４の操作の情報を取得する。
ここで操作部２２は、いわゆるクリックホイールであり、指のスライド操作をガイドする円形形状のガイド部と、押圧操作可能な押圧操作部とによりドライバー４による操作を検出する構成である。操作部２２は、ステアリングホイールを把持した指により操作可能に、ステアリングスポークに設けられる。
【００３６】
図３は、この操作部２２の構成を示す図であり。図３（Ａ）は平面図であり、図３（Ｂ）は、この図３（Ａ）の構成をＡ−Ａ線により切り取って示す部分断面図である。なお図３（Ａ）では、ステアリングホイールを把持した状態で、操作部２２を操作するドライバー４の親指を示す。
操作部２２は、第１及び第２の板状部材２２Ｄ、２２Ｅの積層により構成され、表面側となる第１の板状部材２２Ｄの表面側に形成された凸部によりガイド部２２Ａが形成される。
ここでこの実施形態において、ガイド部２２Ａは、円形形状による領域の外周に沿って延長する凸部により形成されている。しかしながらガイド部は、ブラインド操作により指を添わせて移動させた際に、この移動の軌跡が円形形状となるように形成すればよく、これにより円形形状による領域の外周に沿って延長する凹部により形成してもよい。また円形形状の領域の全体を突出させてガイド部を構成してもよく、円形形状の領域の全体を凹部としてガイド部を構成してもよい。
操作部２２は、この第１の板状部材２２Ｄに、指による接触箇所を検出可能なシート材（例えばタッチセンサフィルム材）２２Ｆが配置され、これにより例えば矢印Ｃにより示すように、ステアリングホイールを把持した状態で指を接触させて移動させると、この移動による指先の軌跡を検出可能に構成される。
【００３７】
また操作部２２は、裏面側である第２の板状部材２２Ｅの特定箇所に、押圧操作を検出可能なスイッチが設けられ、このスイッチにより押圧操作可能な押圧操作部２２Ｂが構成される。
より具体的に、押圧操作部２２Ｂは、ガイド部２２Ａにガイドして指を移動させた際に押圧操作可能に、ガイド部２２Ａに沿った箇所に設けられる。またガイド部２２Ａを基準にして確実に押圧操作可能に、ガイド部２２Ａに係る円形形状の中心に設けられる。
【００３８】
またこの操作部２２には、このガイド部２２Ａの左側、下方に、操作を戻すためのスイッチ部２２Ｃが設けられる。
これにより車両用表示装置２は、操作部２２を使用して指先の感覚により簡易にブラインド操作することができる。
【００３９】
通信インターフェース１５（図２）は、この車両用表示装置２により操作を受け付ける操作対象との間で種々の情報を入出力し、さらには車両情報等を車両１から取得する部位である。
車両１は、ナビゲーションシステム２３により地図情報、ルートガイド等を提供できるように構成され、通信インターフェース１５は、このナビゲーションシステム２３との間で、ナビゲーションシステム２３の操作に必要な情報を入出力する。
また車両１は、ネットワークに接続可能に構成され、通信インターフェース１５は、ネットワーク上の各種のデータサーバー２４に接続して、このデータサーバー２４から音楽コンテンツ、メール等を取得する。
また通信インターフェース１５は、車両ＥＣＵ（Ｅｎｇｉｎｅ  Ｃｎｔｒｏｌ  Ｕｎｉｔ）２５から車速、車線変更に係るウインカーの操作情報、車両１のドライブモード（スポーツモード、エコモード）等による車両情報を取得し、さらにはこれらの制御に係る情報、エアコンの制御に係る各種の情報を入出力する。
またさらに通信インターフェース１５は、ドライバー４の所持した携帯電話の制御に係る各種の情報を、この携帯電話との間で入出力する。
【００４０】
表示制御部１６は、表示部１１を制御する構成であり、周辺情報取得部１３で取得した周辺情報、通信インターフェース１５を介して取得される車両情報により、表示部１１を制御して所定のメニューを表示する。またこのメニューの選択を操作情報取得部１４で取得した操作の情報により検出し、選択されたメニューに対応する処理を各部に指示する。
【００４１】
具体的に、ドライバー４によりナビゲーションのメニューが選択されると、ナビゲーションシステム２３に動作を指示し、これによりルートガイド等の情報をドライバーに提供できるようにする。
またドライバー４によりエアコンのメニューが選択されると、車両ＥＣＵ２５にエアコンの動作を指示する。
またメールのメニューが指示されると、メールサーバーとして機能するデータサーバー２４へのアクセスを指示してメールを取得する。
また電話のメニューが選択されると、携帯電話の起動を指示する。
また音楽再生のメニューが選択されると、コンテンツサーバーとして機能するデータサーバー２４へのアクセスを指示し、音楽コンテンツの取得を指示する。
またドライブモードに係るメニューが選択されると、対応するドライブモードへの移行を車両ＥＣＵ２５に指示する。
なお表示制御部１６は、これらの制御において、必要に応じてメニューの表示を切替え、これにより各制御における詳細設定（例えばエアコンにおいては、温度設定等、音楽再生ではコンテンツの選択等）を受け付ける。
表示制御部１６は、各部からの情報を記憶部１６Ｃに一旦記録して処理することにより、さらには記憶部１６Ｃをワークエリアとして利用することにより、これらの処理を実行する。
【００４２】
〔メニュー表示〕
表示制御部１６において、判定部１６Ａは、走行中の車線について、前方車両の有無を判定する。
具体的に、判定部１６Ａは、周辺情報取得部１３で取得される前方の撮像結果を画像処理することにより、この撮像結果から走行中の車線を検出する。また例えばパターンマッチングの手法の適用により走行中の車線に前方車両が存在するか否か判定する。
【００４３】
また判定部１６Ａは、例えばステレオ視の手法を適用して撮像結果を処理することにより、前方車両までの距離を検出する。さらに撮像結果上における大きさを検出することにより、前方車両の大きさ（自車両より見て取られる大きさである）を検出する。
さらに判定部１６Ａは、同様にして隣接車線、この隣接車線を走行する前方車両、この隣接車線の前方車両までの距離、全景、ウインカーの点滅等、後述する各処理に必要な判定処理、検出処理を実行する。
【００４４】
表示制御部１６において、表示処理部１６Ｂは、表示部１１の制御により、これら判定部１６Ａによる判定結果、検出結果に応じてメニューを表示する。
【００４５】
図４は、このメニューの表示の説明に供する略線図である。
なお以下においては、符号１Ａによりウインドシールドを介して見て取ることができる前方視界を部分的に示し、符号２Ａによりこの車両用表示装置２による画像表示領域を示し、また符号ＴＬにより車線境界線を示す。
ここで前方車両３１が走行中の車線に存在する場合であって、この前方車両３１までの距離（車間距離である）Ｄが一定距離ＤＴＨ以下である場合、ドライバー４より見てこの前方車両３１を囲むようにリング形状によりメニュー表示領域ＡＲ１を表示し、このメニュー表示領域ＡＲ１を放射状に分割して形成された小領域ＡＲ１１〜ＡＲ１６に車両１の操作に係るメニューを表示する。
【００４６】
この図４の例では、小領域ＡＲ１１にはナビゲーションシステム２３の選択メニューが割り当てられ、対応する「ＮＡＶＩ」の文字によりメニューが表示される。また小領域ＡＲ１２には、エアコンの選択メニューが割り当てられ、対応する「ＡＩＲ  ＣＯＮＴＯＲＯＬ」の文字によりメニューが表示される。また小領域ＡＲ１３には、メールの選択メニューが割り当てられ、対応する「ＭＡＩＬ」の文字によりメニューが表示される。また小領域ＡＲ１４には、携帯電話の選択メニューが割り当てられ、対応する「ＴＥＬ」の文字によりメニューが表示される。また小領域ＡＲ１５には、音楽コンテンツの選択メニューが割り当てられ、対応する「ＡＵＤＩＯ」の文字によりメニューが表示される。
【００４７】
また小領域ＡＲ１６には、ドライブモードの選択メニューが割り当てられ、内外周方向に２つの小領域ＡＲ１６Ａ、ＡＲ１６Ｂに分割されて、内周側領域ＡＲ１６Ａに対応する「ＤＲＩＶＥ  ＭＯＤＥ」の文字が表示される。また外周側領域ＡＲ１６Ｂは、さらに放射状に分割されて、具体的なドライブモードの選択メニューが割り当てられ、それぞれエコモードを示す２枚葉の若葉をイラスト化したアイコン、スポーツモードを示すボールをイラスト化したアイコンが表示される。
またさらに、操作部２２のガイド部２２Ａにドライバー４が指を添えている場合、メニュー表示領域ＡＲ１は、内側の円形形状の領域から外周側に延長するように、針状の指針Ｋが表示される。ここで指針Ｋは、操作部２２に設けられたガイド部２２Ａの何れの箇所にドライバー４の親指が添えているかを把握できるようにする表示であり、操作部２２における操作に応じてメニュー表示領域ＡＲ１の中心を回転中心にしてその向きが変化するように表示される。これによりこの車両用表示装置２では、一段と簡易かつ確実にブラインド操作できるように構成される。
【００４８】
表示制御部１６は、操作情報取得部１４により取得される操作部２２の操作情報に基づいて、ドライバー４がガイド部２２Ａに沿って指を移動させると、これに応動するように、指針Ｋを表示してその向きを変化させながら、フォーカスするメニューを順次切り替えると共に、このフォーカスしたメニューの表示を切替える。また押圧操作によりフォーカスしているメニューに係る選択操作を受け付け、対応する動作をナビゲーションシステム２３等に指示する。また操作を戻すためのスイッチ部２２Ｃの押圧操作により選択の取り消しを受け付けて対応する処理を実行する。
【００４９】
このように前方車両３１を囲むようにリング形状によりメニュー表示領域ＡＲ１を表示し、このメニュー表示領域ＡＲ１を放射状に分割して形成された小領域ＡＲ１１〜ＡＲ１６に車両１の操作に係るメニューを表示することにより、車両１では、前方車両３１を確実に視認できるようにして、殆ど視線を移動させることなく、所望するメニューを選択することができる。
これにより前方車両に関する視認性を充分に確保することができ、さらにはブラインド操作により、簡易かつ迅速に所望のメニューを選択することができる。
これにより従来に比して一段と前方の視認性を向上して、簡易かつ迅速にブラインド操作することができる。
【００５０】
特にこの実施形態では、操作部２２の操作によりメニューの選択を受け付けるようにして、この操作部２２が、指のスライド操作をガイドする円形形状のガイド部２２Ａと、押圧操作可能な押圧操作部２２Ｂとを備えることにより、リング形状によるメニュー表示領域ＡＲ１に対応する操作部の構成により、さらには指針Ｋの表示により、簡易かつ迅速にブラインド操作により所望のメニューを選択することができる。また操作部２２の操作によるメニューの選択を直感的に把握することができ、これによっても簡易にブラインド操作することができる。
【００５１】
この実施形態では、このリング形状によるメニュー表示領域ＡＲ１の設定が、前方車両３１が存在する場合であって、この前方車両３１までの車間距離Ｄが一定距離ＤＴＨ以下である場合に適用される。
ここでこの一定距離ＤＴＨは、走行時において、前方車両がはるか前方に存在する場合を除く趣旨により設定され、例えば前方車両の挙動に注意を払うことが望ましいとされる車間距離である。これによりこの一定距離ＤＴＨは、車速の増大により増加するように設定される。
これにより車両用表示装置２では、前方車両３１に注意を払うことが望ましい場合には、確実に前方車両３１を確認できるようにメニューを表示し、安全性を充分に確保することができる。
【００５２】
さらにこの実施形態において、メニュー表示領域ＡＲ１は、内側の円形形状の領域に前方車両の全景が収まるように内径が可変される。
より具体的に、メニュー表示領域ＡＲ１は、外径Ｗ２が一定値に保持される。またさらに所定の上限値を限度として、車両１側から見て取られる前方車両３１の大きさに応じて内径Ｗ１が変化するように形成される。これによりメニュー表示領域ＡＲ１は、車間距離Ｄが変化した場合にあっても、メニュー表示領域ＡＲ１の内周側、円形形状の領域に前方車両３１の全景が収まるように形成される。
【００５３】
これにより車両用表示装置２では、前方車両３１までの車間距離Ｄが変化して車両１より見て取られる前方車両３１の大きさが増大した場合でも、従来に比して確実に前方車両３１に関する視認性を向上することができ、安全性を向上させることができる。
【００５４】
またこれによりメニュー表示領域ＡＲ１は、この円形形状の領域の拡大により幅が変化することになる。これにより表示処理部１６Ｂは、この円形形状の領域が一定値以上に増大して、各メニューの表示する内外周方向の領域幅が小さくなると、メニューの表示（この図４の例では外周側領域ＡＲ１６Ｂの表示）を文字表示からアイコンによる表示に切替える。
なおこのアイコンによるメニュー表示は、図４の例では、ドライブモードの選択メニューに係るアイコンのメニュー表示である。
これにより車両用表示装置２では、メニュー表示領域ＡＲ１を拡大させることなく、適切にメニューを表示するようにして、前方車両３１以外の前方視界の低下を有効に回避し、操作性の低下を防止する。
【００５５】
なおこのような前方車両３１の見掛けの大きさによるメニュー表示領域ＡＲ１の内径Ｗ１の増大は、一定の上限値を限度として実行され、これによりメニュー表示領域ＡＲ１は、一定幅以下とならないように維持される。
これにより例えば交差点等で前方車両に続いて停車して前方車両との車間距離Ｄが著しく短くなった場合等にあっては、メニュー表示領域ＡＲ１の内側、円形形状の領域に前方車両３１の全景が収まらないようにメニューを表示して、実用性を損なわないようにする。
【００５６】
これに対して一定距離ＤＴＨ以下の範囲に、前方車両３１が存在しない場合、表示処理部１６Ｂは、図５に示すように、円形形状によるメニュー表示領域ＡＲ２を表示し、このメニュー表示領域ＡＲ２を放射状に分割して形成された小領域ＡＲ２１〜ＡＲ２６に車両１の操作に係るメニューを表示する。
【００５７】
ここで図５は、図４との対比により一定距離ＤＴＨ以下の範囲に前方車両が存在しない場合の説明に供する略線図である。このメニュー表示領域ＡＲ２は、メニュー表示領域ＡＲ１に対応するように放射状に分割されて小領域ＡＲ２１〜ＡＲ２６が形成され、メニュー表示領域ＡＲ１に対応するメニューが各小領域ＡＲ２１〜ＡＲ２６に設けられる。
またさらに、操作部２２のガイド部２２Ａにドライバー４が指を添えている場合、メニュー表示領域ＡＲ２は、中心から外周側に延長するように、針状の指針Ｋが表示される。ここで指針Ｋは、操作部２２に設けられたガイド部２２Ａの何れの箇所にドライバー４の親指が添えているかを把握できるようにする表示であり、操作部２２における操作に応じてメニュー表示領域ＡＲ２の中心を回転中心にしてその向きが変化するように表示される。これによりこの車両用表示装置２では、一段と簡易かつ確実にブラインド操作できるように構成される。
【００５８】
また小領域ＡＲ２６は、メニュー表示領域ＡＲ１と同様に、内外周方向に２つの領域ＡＲ２６Ａ、ＡＲ２６Ｂに分割され、内周側領域ＡＲ２６Ａに対応するメニューが表示される。
これに対して外周側領域ＡＲ２６Ｂは、さらに放射状に分割されて、具体的なドライブモードの選択メニューが割り当てられて、文字及びアイコンによりメニューが表示される。
これにより車両用表示装置２は、充分な大きさにより表示領域を確保できる場合には、文字及びアイコンの双方によりメニューを表示して、使い勝手を向上する。
また前方車両が存在しない場合、円形形状によりメニュー表示領域ＡＲ２を形成することにより、さらにはこのメニュー表示領域ＡＲ２におけるメニューの割り当てを、メニュー表示領域ＡＲ１に対応するように設定することにより、一段と使い勝手を向上することができる。
【００５９】
表示処理部１６Ｂは、判定部１６Ａにより検出される走行中車線の検出結果に基いて、走行中の車線の中央に位置するように、メニュー表示領域ＡＲ２の表示位置を設定する。
これにより車両用表示装置２では、走行車線を目視した状態で、メニュー表示領域ＡＲ２を視認できるように構成される。
【００６０】
〔車線変更時の表示〕
ところでこのようにメニュー表示領域ＡＲ１、ＡＲ２を表示する場合、車線の変更により前方車両が存在しなくなったり、また前方車両が存在するようになったりする場合がある。また車線変更の前後の双方で前方車両が存在する場合もある。
これらの場合、メニュー表示領域ＡＲ１、ＡＲ２の表示を対応する表示に切替えることが必要となる。
【００６１】
そこで表示制御部１６は、判定部１６Ａにより走行中の車線から隣接車線への車線変更の開始を検出し、車線変更先である隣接車線において、車両１の前方、一定距離以下の範囲に前方車両が存在する場合、この隣接車線の前方車両を囲むリング形状により新たなメニュー表示領域を形成する。
また表示処理部１６Ｂにより、車線変更を開始して車線変更を完了するまでの間、徐々に、それまでのメニュー表示領域の表示を新たなメニュー表示領域の表示に切替える。
なおここでこの一定距離は、車線変更後において、車間距離Ｄが一定距離ＤＴＨ以下となると予測される距離であり、これによりリング形状によるメニュー表示領域ＡＲ１と円形形状のメニュー表示領域ＡＲ２との選択に係る一定距離ＤＴＨを適用することができるものの、自車両の速度と隣接車線を走行する車両の速度とに応じて適宜、変更するようにしてもよい。
【００６２】
また隣接車線において、一定距離以下の範囲で前方車両が検出できない場合、円形形状により新たなメニュー表示領域ＡＲ２を形成し、車線変更を開始して車線の変更が完了するまでの間、徐々に、それまでのメニュー表示領域の表示を、この円形形状による新たなメニュー表示領域ＡＲ２の表示に切替える。
【００６３】
ここで車線変更の開始は、車両ＥＣＵ２５から取得された車両情報によりウインカーの操作を検出して実行される。また車線変更の完了は、車両情報によりステアリング操作を検出して判定することにより、さらには前方の撮像結果より車線の変化を検出することによっても実行することができる。
これらにより車両用表示装置２は、隣接車線への車線変更に関して、ドライバー４に注意を喚起することができる。
【００６４】
図６は、この車線変更時における動作の説明に供する略線図であり、図６（Ａ）は車線変更開始時を示し、図６（Ｂ）は、図６（Ａ）により示す時点より車線変更が進行した状態を示す。また符号ＷＲ、ＷＬによりウインカーを示す。
【００６５】
この場合、それまで前方車両３１が存在することによりリング形状によりメニュー表示領域ＡＲ１Ａを表示して、ウインカーの操作により変更先の車線における前方車両を検出する。
ここでこの図６の例では、変更先の隣接車線において、一定距離の範囲で先行車両を検出できないことにより、円形形状により新たなメニュー表示領域ＡＲ２Ｂを形成し、車線変更を開始して車線変更を完了するまでの間、徐々に、それまでのメニュー表示領域ＡＲ１Ａの表示を新たなメニュー表示領域ＡＲ２Ｂの表示に切替える。
なおこのように円形形状により新たなメニュー表示領域ＡＲ２Ｂを表示する場合、表示位置は、隣接車線の中央である。
【００６６】
表示処理部１６Ｂは、新たなメニュー表示領域ＡＲ２Ｂの表示をそれまでのメニュー表示領域ＡＲ１Ａ側から徐々に視認できるようにしながら、それまでのメニュー表示領域ＡＲ１Ａの表示を新たなメニュー表示領域ＡＲ２Ｂ側から徐々に視認できないようにすることにより、徐々に、それまでのメニュー表示領域ＡＲ１Ａの表示を新たなメニュー表示領域ＡＲ２Ｂの表示に切替える。
【００６７】
より具体的に、新たなメニュー表示領域ＡＲ２Ｂの表示をそれまでのメニュー表示領域ＡＲ１Ａ側からフェードインしながら、それまでのメニュー表示領域ＡＲ１Ａの表示を新たなメニュー表示領域ＡＲ２Ｂ側からフェードアウトすることにより、徐々に、それまでのメニュー表示領域ＡＲ１Ａの表示を新たなメニュー表示領域ＡＲ２Ｂの表示に切替える。
これにより車両用表示装置２は、メニュー表示領域の切替えを直観的に把握できることにより、使い勝手を向上することができる。
【００６８】
なおこの場合、表示処理部１６Ｂは、メニュー表示領域の表示に係る透明度を徐々に増大させることにより、フェードアウトの処理を実行し、これとは逆に、メニュー表示領域の表示に係る透明度を徐々に低下させることにより、フェードインの処理を実行する。
【００６９】
なお、それまでのメニュー表示領域ＡＲ１Ａと新たなメニュー表示領域との表示の切替えは、種々の手法、効果を適用することができ、例えばそれまでのメニュー表示領域ＡＲ１Ａ全体の透明度と、新たなメニュー表示領域ＡＲ２Ｂ全体の透明度とを相補的に変化させて表示を切替えてもよく、さらにはそれまでのメニュー表示領域ＡＲ１Ａと新たなメニュー表示領域とに非表示の領域を設定して、この非表示の領域の大きさを相補的に変化させて表示を切替えるようにしてもよい。
【００７０】
さらにこのように車線変更する場合に、表示制御部１６は、判定部１６Ａにおける画像処理により、注意すべき対象を検出し、表示処理部１６Ｂにおいて、この注意すべき対象の検出によりメニュー表示領域の表示を強調表示に切替える。
ここでこの強調表示は、種々の表示方法を適用することができるものの、この実施形態では、メニュー表示領域の点滅表示が適用される。
なおこの注意すべき対象は、例えば歩行者、他の車両等であり、例えばテンプレートを使用したパターンマッチングにより撮像結果を処理して検出することができる。
これにより車両用表示装置２は、歩行者、他の車両等への注意を喚起することができる。
【００７１】
〔車両進入時の表示〕
ところで円形形状によるメニュー表示領域ＡＲ２を表示している状態で、隣接車線から前方に車両が侵入し、この車両との車間距離Ｄが、リング形状によるメニュー表示領域ＡＲ１の選択に供する一定距離ＤＴＨ以下となってしまう場合もある。またリング形状によるメニュー表示領域ＡＲ１を表示している状態で、前方車両との間に隣接車線から車両が侵入する場合もある。
これらの場合もメニュー表示領域の表示を切替えることが必要になる。
【００７２】
そこで表示制御部１６は、判定部１６Ａにより隣接車線からの前方への車両の進入を検出し、この進入する車両までの距離が、車両１の前方、一定距離ＤＴＨ以下である場合であって、走行中の車線の前方車両との間に進入する場合、この隣接車線の前方車両を囲むリング形状により新たなメニュー表示領域を形成する。
またさらに隣接車線からの車両の進入により、徐々に、それまでのメニュー表示領域の表示を新たなメニュー表示領域の表示に切替える。
これにより車両用表示装置２では、隣接車線からの車両の進入に関して、ドライバー４に注意を喚起する。
【００７３】
また円形形状によるメニュー表示領域ＡＲ２を表示している場合には、進入する車両までの距離が、車両１の前方、一定距離ＤＴＨ以下である場合に、この隣接車線の前方車両を囲むリング形状により新たなメニュー表示領域ＡＲ１を形成し、同様にして表示を切替える。
【００７４】
またこれらの場合も、車線変更時と同様に、フェードアウト、フェードインにより、新たなメニュー表示領域の表示をそれまでのメニュー表示領域側から徐々に視認できるように、それまでのメニュー表示領域の表示を新たなメニュー表示領域側から徐々に視認できないようにし、それまでのメニュー表示領域の表示を新たなメニュー表示領域の表示に切替える。
これにより車両用表示装置２は、メニュー表示領域の切替えを直観的に把握できるようにして、ドライバー４の注意を喚起し、使い勝手を向上することができる。
【００７５】
図７は、この隣接車線からの車両の進入時における動作の説明に供する略線図であり、図７（Ａ）は進入開始直後を示し、図７（Ｂ）は、図７（Ａ）により示す時点より時間経過した状態を示す。
【００７６】
この場合、それまで走行中の車線上に前方車両３１Ａが存在することによりリング形状によりメニュー表示領域ＡＲ１Ａを表示して、隣接車線を走行する前方車両３１Ｂのウインカーの点滅により、この前方車両３１Ｂの進入開始が検出される。
またこの場合、それまでの前方車両３１Ｂまでの車間距離と、隣接車線の前方車両３１Ｂまでの車間距離とにより、この隣接車線からの車両の進入が、走行中の車線における前方車両との間への進入であることが検出される。
【００７７】
これによりこの進入する前方車両３１Ｂを囲むようにリング形状により新たなメニュー表示領域ＡＲ２Ｂを形成し、この車両が侵入を開始して車線変更が完了するまでの間、徐々に、それまでのメニュー表示領域ＡＲ１Ａの表示を新たなメニュー表示領域ＡＲ１Ｂの表示に切替える。
【００７８】
なおこのように隣接車線から車両が侵入する場合にあっても、自車両が車線変更する場合と同様に、注意すべき対象を検出してメニュー表示領域の表示を強調表示に切替えるようにしてもよい。
【００７９】
なお前方車両が隣接車線に車線変更しても、前方車両が切替わったり、車両進入時とは逆に前方車両が存在しなくなる。
これによりこの場合も、隣接車線からの車両進入時と同様に、新たなメニュー表示領域を作成し、それまでのメニュー表示領域の表示から徐々に表示を切替える。
【００８０】
〔進路変更時の表示〕
またさらに交差点等において進路を変更する場合にあっても、走行車線を変更する場合と同様に、進路の変更によりメニュー表示領域の表示の切替えが必要になる場合がある。
具体的には、進路変更により前方車両がいなくなったり、これとは逆に進路変更により前方車両が存在するようになる場合である。
【００８１】
これにより表示制御部１６は、車線変更の場合と同様に、進路変更によりメニュー表示領域の表示を切替え、さらにはメニュー表示領域を強調表示する。
【００８２】
図８は、リング形状によりメニュー表示領域ＡＲ１を表示する場合における車両用表示装置２における処理手順を示すフローチャートである。
この処理手順において、車両用表示装置２は、周辺監視部２１で取得される周辺情報を周辺情報取得部１３により取得し（ステップＳＰ２）、さらに自車両の走行車線を検出する（ステップＳＰ３）。またこのようにして取得した情報により、一定の車間距離以下の前方車両の存在の有無を検出することにより、リング形状によるメニュー表示領域ＡＲ１を表示する対象が存在するか否か判断し（ステップＳＰ４）、この判断結果によりリング形状によるメニュー表示領域ＡＲ１又は円形形状によるメニュー表示領域ＡＲ２を表示する（ステップＳＰ５）。
【００８３】
図９は、車線変更時及び進路変更時におけるメニュー表示領域の表示の切替えに係る処理手順を示すフローチャートである。
この場合、車両用表示装置２は、ウインカーの点滅により注意を喚起すべき対象が存在するか否か判断し（ステップＳＰ１１、ステップＳＰ１２）、注意を喚起すべき対象が存在する場合、メニュー表示領域（表示画像）を強調表示する（ステップＳＰ１３）。
またさらにそれまでのメニュー表示領域の表示をフェードアウトするように設定すると共に、新たなメニュー表示領域の表示をフェードインするように設定する（ステップＳＰ１４、ステップＳＰ１５）。
【００８４】
図１０は、隣接車線から車両が前方に侵入する場合のメニュー表示領域の表示の切替えに係る処理手順を示すフローチャートである。
この場合、ウインカーの点滅によりこの車両の進入開始を検出し、新たなメニュー表示領域を形成する（ステップＳＰ２１）。
またさらにそれまでのメニュー表示領域の表示をフェードアウトするように設定すると共に、新たなメニュー表示領域の表示をフェードインするように設定する（ステップＳＰ２２、ステップＳＰ２３）。
【００８５】
以上の構成によれば、前方車両を囲むリング形状によりメニュー表示領域を設定し、このメニュー表示領域を放射状に分割して形成された小領域に車両の操作に係るメニューを表示することにより、前方車両に関する視認性を充分に確保し、ブラインド操作により、簡易かつ迅速に所望のメニューを選択することができ、これにより従来に比して一段と前方の視認性を向上して、簡易かつ迅速にブラインド操作することができる。
【００８６】
また操作の情報が、指のスライド操作をガイドする円形形状のガイド部と、押圧操作可能な押圧操作部とを備えた操作部による操作の情報であることにより、ブラインド操作により、簡易かつ迅速に所望のメニューを選択することができる。
【００８７】
またさらにメニュー表示領域の内側の円形形状の領域に前方車両の全景が収まるように、メニュー表示領域の内径を可変することにより、前方車両までの距離が変化した場合であっても、この距離の変化に対応するように円形形状の領域の大きさを可変して、確実に前方車両に関する視認性を向上し、安全性を向上させることができる。
【００８８】
またさらにこの円形形状の領域の拡大によりメニュー表示領域におけるメニューの表示を文字表示からアイコンによる表示に切替えることにより、前方車両との車間距離の低下等によりメニュー表示領域を著しく拡大させなくても、適切にメニューを表示することができ、前方車両以外の前方視界の低下を有効に回避して、操作性の低下を防止することができる。
【００８９】
またさらに前方車両との間に、隣接車線から車両が侵入する場合、この隣接車線からの車両を囲むリング形状により新たなメニュー表示領域を形成し、徐々に、それまでのメニュー表示領域の表示を新たなメニュー表示領域の表示に切替えることにより、隣接車線からの車両の進路変更に関して、ドライバーに注意を喚起することができる。
【００９０】
またさらに走行中の車線から隣接車線に進路を変更する場合、隣接車線の前方車両を囲むリング形状により新たなメニュー表示領域を形成し、徐々に、それまでのメニュー表示領域の表示を新たなメニュー表示領域の表示に切替えることにより、隣接車線への車線変更に関して、ドライバーに注意を喚起することができる。
【００９１】
さらに新たなメニュー表示領域の表示をそれまでのメニュー表示領域側から徐々に視認できるようにしながら、それまでのメニュー表示領域の表示を新たなメニュー表示領域側から徐々に視認できないようにするようにして、徐々に、それまでのメニュー表示領域の表示を新たなメニュー表示領域の表示に切替えることにより、メニュー表示領域の切替えを直観的に把握できるようにして、使い勝手を向上することができる。
【００９２】
またさらに車線変更時及び進路変更時、注意すべき対象の検出によりメニュー表示領域の表示を強調表示に切替えることにより、歩行者、他の車両等への注意を喚起することができる。
【００９３】
〔他の実施形態〕
以上、本発明の実施に好適な具体的な構成を詳述したが、本発明は、本発明の趣旨を逸脱しない範囲で、上述の実施形態の構成を種々に変更することができる。
【符号の説明】
【００９４】
１  車両
２  車両用表示装置
３  ウインドシールド
４  ドライバー
５  虚像
１１  表示部
１３  周辺情報取得部
１４  操作情報取得部
１５  通信インターフェース
１６  表示制御部
１６Ａ  判定部
１６Ｂ  表示処理部
１６Ｃ  記憶部
２２  操作部
２２Ａ  ガイド部
２２Ｂ  押圧操作部
２２Ｃ  スイッチ部
２２Ｄ、２２Ｅ  板状部材
２２Ｆ  シート材
２３  ナビゲーションシステム
２４  データサーバー
２５  車両ＥＣＵ
【図１】
2019202557.tif 000003
【図２】
2019202557.tif 000004
【図３】
2019202557.tif 000005
【図４】
2019202557.tif 000006
【図５】
2019202557.tif 000007
【図６】
2019202557.tif 000008
【図７】
2019202557.tif 000009
【図８】
2019202557.tif 000010
【図９】
2019202557.tif 000011
【図１０】
2019202557.tif 000012